(57)【要約】【課題】  煩雑な操作なしに、ピントが合っているかを容易に確認可能とし、また、画像を効果的に再生可能とする。【解決手段】  デジタル信号処理部２８は、画像取得部１０およびアナログ信号処理部１５により取り込んだ画像データからＥｘｉｆ規格に従った画像ファイルを生成する際に、撮影時に選択（登録）されている構図情報から、ＡＦ座標、その構図情報に適切な再生パターン（スクロールやズームを規定した情報）を取り出し、これらＡＦ座標、再生パターンを、Ｅｘｉｆ規格に従った画像ファイルのタグ情報に挿入する。画像再生時には、画像ファイルから上記ＡＦ座標、再生パターンを取り出し、該ＡＦ座標、再生パターンに従って、拡大／縮小、スクロールを組み合わせて画像を自動的に再生する。【選択図】  図１
2006013677.tif 000002
【特許請求の範囲】
【請求項１】
少なくとも画像データと該画像データを再生する際の再生方法を示す再生制御情報とが含まれる画像ファイルを記憶する記憶手段と、
画像データを表示する表示手段と、
前記記憶手段に記憶されている画像ファイルを読み出し、この画像ファイルに含まれる画像データを表示するよう指示する指示手段と、
この指示手段により表示すべき画像データが指示されたときに、この画像データに含まれる再生制御情報に基づいて、前記画像データの前記表示手段への表示を制御する表示制御手段と
を具備することを特徴とする情報処理装置。
【請求項２】
前記再生制御情報は、撮影時に取得したフォーカス位置と、該フォーカス位置に基づいて表示を制御する再生パターン情報とを含むことを特徴とする請求項１記載の情報処理装置。
【請求項３】
前記表示制御手段は、前記フォーカス位置が画面の略中央に位置するように、前記再生パターン情報に基づいて、前記画像データに対する表示を制御することを特徴とする請求項２記載の情報処理装置。
【請求項４】
前記再生制御情報は、少なくとも撮像フレーム内の被写体の位置と撮影パラメータとに基づいて生成されることを特徴とする請求項１ないし３のいずれかに記載の情報処理装置。
【請求項５】
少なくともフレーム内の被写体の立ち位置と撮影条件とを含む構図情報を複数記憶する構図情報記憶手段と、
前記構図情報記憶手段に記憶されている構図情報を選択する選択手段と、
この選択手段により選択された構図情報に基づいて撮影を実行し、撮影に基づく画像データを取得する画像データ取得手段と、
この画像データ取得手段により画像データが取得されると、前記選択手段によって選択された構図情報に基づいてこの画像データを再生する際の再生方法を示す再生制御情報を生成する再生制御情報生成手段と、
前記画像データ取得手段により取得された画像データと、前記再生制御情報生成手段により生成された再生制御情報とを含む画像ファイルを生成する画像ファイル生成手段と
を具備することを特徴とする撮像装置。
【請求項６】
前記再生制御情報は、前記構図情報に設定されているフォーカス位置と、該フォーカス位置に基づいて表示を制御する再生パターン情報とを含むことを特徴とする請求項５記載の撮像装置。
【請求項７】
少なくともフレーム内の被写体の立ち位置と撮影条件とを含む複数の構図情報の中から選択された構図情報に基づいて、取得した画像データと該画像データを再生する際の再生方法を示す再生制御情報とからなる画像ファイルを生成することを特徴とする画像ファイル生成方法。
【請求項８】
少なくともフレーム内の被写体の立ち位置と撮影条件とを含む構図情報に基づいて、撮影した画像データと、取得したフォーカス位置と該フォーカス位置に基づいて表示を制御する再生パターン情報とを含む再生制御情報とからなる画像ファイルを生成するステップと、
前記画像ファイルに挿入されている再生制御情報を読み出すステップと、
前記読み出した再生制御情報から取得したフォーカス位置が画面の略中央に位置するように、前記画像データの表示を制御するステップと
をコンピュータに実行させることを特徴とする画像表示処理プログラム。
【発明の詳細な説明】
【技術分野】
【０００１】
本発明は、画像データを表示処理する情報処理装置、撮像装置、画像ファイル生成方法、および画像表示処理プログラムに関する。
【背景技術】
【０００２】
近年、デジタルカメラや携帯電話などの撮影機能を有する携帯情報端末では、ＣＣＤの高解像度化に伴って、撮影もしくは再生可能な画像データのサイズが表示部のサイズより大きくなる。このような携帯情報端末では、一般に、表示部で画像データを再生表示させる場合、画像データ全体を確認できるように、表示部の表示サイズに合わせるべく、画像データを縮小する。この場合、縮小率が大きくなり、画像データの細部を確認しにくくなる。このため、ズームやズーム位置を移動させる操作が必須となる。従来の携帯情報端末では、ユーザが自ら画像データの拡大／縮小操作を行なったり、画像処理技術における従来の技術を適用し、画像サイズが表示部の表示可能サイズよりも広い場合、スクロールする回数を自動的に決定して、自動スクロールさせることが考案されている（例えば、特許文献１参照）。
【０００３】
【特許文献１】特開２０００−２６７６４６号公報（第３頁、図３）
【発明の開示】
【発明が解決しようとする課題】
【０００４】
しかしながら、上記従来技術では、画像データの拡大／縮小操作やスクロール操作をマニュアルで行ったり、予め決められている自動スクロールでズーム位置を移動させていたので、ユーザの操作が煩雑になったり、ユーザが所望する適切なスクロールを行うことができないという問題がある。特に、携帯情報端末には、予め用意されている複数の構図情報のうち、ユーザが選択した構図情報に基づいて被写体の立ち位置を決めて撮影する機能（ベストショット機能）を有するものがある。このような携帯情報端末では、撮影時にユーザが選択した構図情報に従って、被写体の立ち位置（顔の部分）にフォーカシングすべく、機器側で自動的にオートフォーカスポイント（ＡＦポイント）を決めて撮影する。
【０００５】
このように撮影した画像を再生する場合、当然、フォーカスポイントを拡大して再生表示することで、ピントが合っているか瞬時に確認することが可能となる。しかしながら、従来技術の携帯情報端末では、拡大／縮小のやり方や、スクロールパターンがフォーカスポイントと関係付けられていないため、ピントが合っているかをチェックするためには、ＡＦポイントが表示部の略中央にくるように、ユーザがマニュアルでスクロール操作したり、拡大操作する必要がでてくる。
【０００６】
また、人物などの被写体が画面端に位置するように構図を決めて撮影した場合などでは、単に、撮影した画像を全画面表示したのでは、被写体の細部が見にくいことがある。この場合、従来技術では、ユーザがマニュアルでスクロール操作したり、拡大操作する必要がでてくる。
【０００７】
このように、従来技術では、ユーザがマニュアルでスクロール操作したり、拡大操作するために、煩雑な操作が必要となるという問題がある。
【０００８】
そこで本発明は、煩雑な操作なしに、ピントが合っているかを容易に確認することができ、また、画像を効果的に再生することができる情報処理装置、撮像装置、画像ファイル生成方法、および画像表示処理プログラムを提供することを目的とする。
【課題を解決するための手段】
【０００９】
上記目的達成のため、請求項１記載の発明による情報処理装置は、少なくとも画像データと該画像データを再生する際の再生方法を示す再生制御情報とが含まれる画像ファイルを記憶する記憶手段と、画像データを表示する表示手段と、前記記憶手段に記憶されている画像ファイルを読み出し、この画像ファイルに含まれる画像データを表示するよう指示する指示手段と、この指示手段により表示すべき画像データが指示されたときに、この画像データに含まれる再生制御情報に基づいて、前記画像データの前記表示手段への表示を制御する表示制御手段とを具備することを特徴とする。
【００１０】
また、好ましい態様として、例えば請求項２記載のように、請求項１記載の情報処理装置において、前記再生制御情報は、撮影時に取得したオートフォーカス位置と、該オートフォーカス位置に基づいて表示を制御する再生パターン情報とを含むようにしてもよい。。
【００１１】
また、好ましい態様として、例えば請求項３記載のように、請求項２記載の情報処理装置において、前記表示制御手段は、前記フォーカス位置が画面の略中央に位置するように、前記再生パターン情報に基づいて、前記画像データに対する表示を制御するようにしてもよい。
【００１２】
また、好ましい態様として、例えば請求項４記載のように、請求項１ないし３のいずれかに記載の情報処理装置において、前記再生制御情報は、少なくとも撮像フレーム内の被写体の位置と撮影パラメータとに基づいて生成されるようにしてもよい。
【００１３】
また、上記目的達成のため、請求項５記載の発明による情報処理装置は、少なくともフレーム内の被写体の立ち位置と撮影条件とを含む構図情報を複数記憶する構図情報記憶手段と、前記構図情報記憶手段に記憶されている構図情報を選択する選択手段と、この選択手段により選択された構図情報に基づいて撮影を実行し、撮影に基づく画像データを取得する画像データ取得手段と、この画像データ取得手段により画像データが取得されると、前記選択手段によって選択された構図情報に基づいてこの画像データを再生する際の再生方法を示す再生制御情報を生成する再生制御情報生成手段と、前記画像データ取得手段により取得された画像データと、前記再生制御情報生成手段により生成された再生制御情報とを含む画像ファイルを生成する画像ファイル生成手段とを具備することを特徴とする。
【００１４】
また、好ましい態様として、例えば請求項６記載のように、請求項５記載の情報処理装置において、前記再生制御情報は、前記構図情報に設定されているフォーカス位置と、該フォーカス位置に基づいて表示を制御する再生パターン情報とを含むようにしてもよい。
【００１５】
また、上記目的達成のため、請求項７記載の発明による画像ファイル生成方法は、少なくともフレーム内の被写体の立ち位置と撮影条件とを含む複数の構図情報の中から選択された構図情報に基づいて、取得した画像データと該画像データを再生する際の再生方法を示す再生制御情報とからなる画像ファイルを生成することを特徴とする。
【００１６】
また、上記目的達成のため、請求項８記載の発明による画像処理プログラムは、少なくともフレーム内の被写体の立ち位置と撮影条件とを含む構図情報に基づいて、撮影した画像データと、取得したフォーカス位置と該フォーカス位置に基づいて表示を制御する再生パターン情報とを含む再生制御情報とからなる画像ファイルを生成するステップと、前記画像ファイルに挿入されている再生制御情報を読み出すステップと、前記読み出した再生制御情報から取得したフォーカス位置が画面の略中央に位置するように、前記画像データの表示を制御するステップとをコンピュータに実行させることを特徴とする。
【発明の効果】
【００１７】
請求項１記載の発明によれば、少なくとも画像データと該画像データを再生する際の再生方法を示す再生制御情報とが含まれる画像ファイルを記憶手段に記憶し、表示手段により画像データが再生表示される際に、この指示手段により表示すべき画像データが指示されたときに、表示制御手段により、この画像データに含まれる再生制御情報に基づいて、前記画像データの前記表示手段への表示を制御するようにしたので、画像を効果的に再生することができるという利点が得られる。
【００１８】
また、請求項２記載の発明によれば、前記再生制御情報に、撮影時に取得したオートフォーカス位置と、該オートフォーカス位置に基づいて表示を制御する再生パターン情報とを含むようにしたので、ピントが合っているかを容易に確認することができ、また、画像を効果的に再生することができるという利点が得られる。
【００１９】
また、請求項３記載の発明によれば、前記表示制御手段により、前記フォーカス位置が画面の略中央に位置するように、前記再生パターン情報に基づいて、前記画像データに対する表示を制御するようにしたので、ピントが合っているかを容易に確認することができ、また、画像を効果的に再生することができるという利点が得られる。
【００２０】
また、請求項４記載によれば、前記再生制御情報を、少なくとも撮像フレーム内の被写体の位置と撮影パラメータとに基づいて生成されるようにしたので、画像を効果的に再生することができるという利点が得られる。
【００２１】
また、請求項５記載の発明によれば、様々な撮影状況に対応させて、少なくともフレーム内の被写体の立ち位置と撮影条件とを含む構図情報を構図情報記憶手段に複数記憶し、選択手段により、前記構図情報記憶手段に記憶されている構図情報を選択し、画像データ取得手段により、この選択手段により選択された構図情報に基づいて撮影を実行し、撮影に基づく画像データを取得し、この画像データ取得手段により画像データが取得されると、再生制御情報生成手段により、前記選択手段によって選択された構図情報に基づいてこの画像データを再生する際の再生方法を示す再生制御情報を生成し、画像ファイル生成手段により、前記画像データ取得手段により取得された画像データと、前記再生制御情報生成手段により生成された再生制御情報とを含む画像ファイルを生成するようにしたので、画像を効果的に再生することができるという利点が得られる。
【００２２】
また、請求項６記載によれば、前記再生制御情報に、前記構図情報に設定されているフォーカス位置と、該フォーカス位置に基づいて表示を制御する再生パターン情報とを含むようにしたので、ピントが合っているかを容易に確認することができ、また、画像を効果的に再生することができるという利点が得られる。
【００２３】
また、請求項７記載の発明によれば、少なくともフレーム内の被写体の立ち位置と撮影条件とを含む複数の構図情報の中から選択された構図情報に基づいて、取得した画像データと該画像データを再生する際の再生方法を示す再生制御情報とからなる画像ファイルを生成するようにしたので、画像を効果的に再生することができるという利点が得られる。
【００２４】
また、請求項８記載の発明によれば、少なくともフレーム内の被写体の立ち位置と撮影条件とを含む構図情報に基づいて、撮影した画像データと、取得したフォーカス位置と該フォーカス位置に基づいて表示を制御する再生パターン情報とを含む再生制御情報とからなる画像ファイルを生成するステップと、前記画像ファイルに挿入されている再生制御情報を読み出すステップと、前記読み出した再生制御情報から取得したフォーカス位置が画面の略中央に位置するように、前記画像データの表示を制御するステップとをコンピュータに実行させるようにしたので、ピントが合っているかを容易に確認することができ、また、画像を効果的に再生することができるという利点が得られる。
【発明を実施するための最良の形態】
【００２５】
以下、本発明の実施の形態を、デジタルカメラに適用した一実施例として、図面を参照して説明する。
【００２６】
Ａ．実施形態の構成
図１は、本実施形態によるデジタルカメラの構成を示すブロック図である。画像取得部１０は、レンズ１１、シャッタ１２、ＬＰＦ１３からなる。レンズ１１は、通常の光学レンズであり、非球面レンズを重ねたレンズ群からなる。シャッタ１２は、シャッタボタン６が操作されると、制御部２０によって駆動されるドライバ１４により動作する、所謂メカニカルシャッタである。なお、デジタルカメラによっては、メカニカルシャッタを備えない場合もあり、沈胴式のレンズ構造、メカニカルズームを搭載する機種の場合、これらの駆動制御もドライバ１４で行なう。ＬＰＦ１３は、水晶ローパスフィルタであり、モアレの発生を防ぐために搭載されている。
【００２７】
次に、アナログ信号処理部１５は、撮像センサ（ＣＣＤ，ＣＭＯＳ）１６、サンプリング／信号増幅処理部１７、Ａ／Ｄコンバータ１８からなる。撮像センサ１６は、被写体画像（イメージ）を結像し、ＲＧＢの各色の光の強さを、電流値に変換する。サンプリング／信号増幅処理部１７は、ノイズや色むらを抑えるための相関二重サンプリング処理や信号増幅処理を行なう。Ａ／Ｄコンバータ１８は、アナログフロントエンドとも呼ばれ、サンプリング・増幅したアナログ信号をデジタル信号に変換する（ＲＧＢ，ＣＭＹＧ各色について１２ｂｉｔデータに変換してバスラインに出力する）。
【００２８】
次に、制御部（ＣＰＵ）２０は、後述するプログラムメモリ格納されるプログラムに基づいてデジタルカメラ（撮像装置）の全体を制御する。プレビューエンジン２２は、録画モード（記録モード、撮影モードともいう）において、画像取得部１０、アナログ信号処理部１５を介して入力されたデジタルデータ、もしくはシャッタ操作検出直後、イメージバッファ２６に格納されたデジタルデータ、および、画像メモリ３１に格納されたデジタルデータを表示部２５に表示させるために間引き処理を行なう。
【００２９】
Ｄ／Ａコンバータ２３は、プレビューエンジン２２により間引き処理されたデジタルデータを変換し、後段のドライバ２４に出力する。ドライバ２４は、後段の表示部２５に表示されるデジタルデータを一時記憶するバッファ領域を備え、キー操作部２７、制御部２０を介して入力された制御信号に基づいて表示部２５を駆動させる。表示部２５は、カラーＴＦＴ液晶や、ＳＴＮ液晶などからなり、プレビュー画像や、撮影後の画像データ、設定メニューなどを表示する。
【００３０】
イメージバッファ２６は、アナログ信号処理部１５、もしくはデジタル信号処理部２８を介して入力され、デジタル信号処理部２８に渡すまで一時的に撮影直後のデジタルデータを格納する。キー操作部２７は、シャッタボタン６を含め、記録／再生モードの切り換えキー、十字キー、メニューキー等からなり、特に、本実施形態では、構図情報を選択したり、被写体の撮影位置を指定する際に用いられる。デジタル信号処理部２８は、アナログ信号処理部１５を介して入力されたデジタルデータ（非圧縮のＲＡＷイメージデータ）に対して、ホワイトバランス処理、色処理、階調処理、輸郭強調を行なう。
【００３１】
また、デジタル信号処理部２８は、画像取得部１０およびアナログ信号処理部１５により取り込んだ画像データからＥｘｉｆ規格に従った画像ファイルを生成する際に、事前に選択（登録）されている構図情報から、ＡＦポイントの座標（ＡＦ座標）、その構図情報に適切な再生パターン（スクロールやズームを規定した情報）を取り出し、これらＡＦ座標、再生パターンを、Ｅｘｉｆ規格に従った画像ファイルのタグ情報に挿入する。上記構図情報は、さまざまな撮影シーン（背景を入れて撮影、ポートレート、ツーショット、夜景など）を考慮して、被写体の撮影フレーム内における立ち位置やそのＡＦ座標、撮影条件（露出や露光時間など）を予め設定した情報である。なお、該構図情報の詳細については後述する。
【００３２】
画像圧縮／伸張処理部２９は、デジタル信号処理部２８を介して入力されたデジタルデータ（非圧縮のＲＡＷイメージデータ）をＪＰＥＧ方式に圧縮符号化したり、再生モードにおいては、ＪＰＥＧ形式のファイルを伸張する。プログラムメモリ３０は、制御部２０にロードされる各種プログラムや、ベストショット機能におけるＥＶ値、色補正情報、被写体の撮影フレーム内における立ち位置やそのＡＦ座標、撮影条件（露出や露光時間など）を示す構図情報等の各種をテーブル単位で格納する。また、ＤＣＦ規格に準拠されているファイルに埋め込むべき各種情報も記憶している。画像メモリ３１は、各種ファイル形式に変換されたデジタルデータを格納する。カードＩ／Ｆ３２は、外部記録媒体３３と撮像装置本体との間のデータ交換を制御する。外部記録媒体３３は、コンパクトフラッシュ（登録商標）、メモリースティック、ＳＤカード等からなる。外部接続用Ｉ／Ｆ３４は、ＵＳＢコネクター用スロットなどからなり、パーソナルコンピュータなどと接続され、撮影した画像データの転送などに用いられる。
【００３３】
Ａ−２．画像ファイルフォーマット
次に、図２は、本実施形態によるデジタルカメラで取り扱う画像ファイルフォーマットを示す概念図である。本実施形態では、撮影した画像データをＥｘｉｆ規格に従った画像ファイルとして保存するようになっている。Ｅｘｉｆ規格では、ファイル中の「タグ」と呼ばれる情報付加部分に撮影情報やファイル情報を記録可能となっている。Ｅｘｉｆ規格の画像ファイルは、Ｅｘｉｆ規格のファイルであることを識別するためのヘッダ、画像データに関する種々の情報を含むタグ情報とサムネイル画像データとからなる画像付加情報、および撮影したオリジナルの元画像データからなる。タグ情報には、画素数、圧縮モード、カメラの機種名、絞り値、シャッター速度、撮影日時、ユーザ情報といった各種情報が記録できる。本実施形態では、ユーザ情報領域に、撮影時に使用された構図情報を識別するためのベストショット種別、該構図情報におけるＡＦ座標および再生パターンからなる「再生情報」を記録するようになっている。
【００３４】
なお、構図情報とは、前述したように、被写体と背景などの位置関係や撮影条件（露出や露光時間など）などを、様々な撮影シーンに応じて予め設定したものある。ユーザは、事前に撮影シーンに応じた構図情報を選択し、該選択した構図情報の構図（被写体と背景などの位置関係：ベストショットイメージ）に従って被写体の立ち位置などを決めて実際の撮影を行う。デジタルカメラ側では、選択された構図情報のＡＦ座標で合焦させ、該構図情報に設定されている露出、露光時間で撮影を行う。これにより、ユーザは、面倒な設定を行うことなく、撮影シーンに最適な条件で撮影することが可能となる。
【００３５】
ここで、図３（ａ）は、ベストショットイメージの一例を示す概念図であり、同図（ｂ）は、その構図情報に対する再生情報である。図３（ａ），（ｂ）に示す例は、１人の被写体のほぼ上半身をフレームの中央に入るようにして撮影するベストショットであり、この場合、構図情報種別「ＢＳ００１」、ＡＦ座標（被写体の顔部分）「ｘ１、ｙ１」、該構図情報に対する再生パターン「Ｐ００１（ズーム）」が再生情報として画像ファイルのタグ情報に記録される。
【００３６】
図４（ａ）〜（ｄ）は、上記図３（ａ）に示すベストショットイメージで撮影した画像データを再生する際の様子を示す模式図である。該再生パターンＰ００１では、図４（ａ）〜同図（ｄ）に示すように、撮影した元画像全体が入るように表示部２５に表示した状態から徐々にＡＦ座標位置を中心として被写体の顔部分にズームインしていくように再生する。
【００３７】
また、図５（ａ）は、ベストショットイメージの他の例を示す概念図であり、同図（ｂ）は、その構図情報に対する再生情報である。図５（ａ），（ｂ）に示す例は、１人の被写体の全身をフレームの中央に入るようにして撮影するベストショットであり、この場合、構図情報種別「ＢＳ００２」、ＡＦ座標（被写体の顔部分）「ｘ２、ｙ２」、該構図情報に対する再生パターン「Ｐ００２（スクロール＆ズーム）」が再生情報として画像ファイルのタグ情報に記録される。
【００３８】
図６（ａ）〜（ｄ）は、上記図５（ａ）に示すベストショットイメージで撮影した画像データを再生する際の再生パターンＰ００２の様子を示す模式図である。該再生パターンＰ００２では、図６（ａ）〜同図（ｄ）に示すように、撮影した元画像全体が入るように表示部２５に表示した状態から、まず、被写体の足元付近にズームインし、徐々にＡＦ座標位置を中心とした被写体の顔部分に縦スクロールしていくように再生する。
【００３９】
次に、図７（ａ）は、ベストショットイメージの他の例を示す概念図であり、同図（ｂ）は、その構図情報に対する再生情報である。図７（ａ），（ｂ）に示す例は、１人の被写体の上半身をフレームの左側に入るようにして撮影するベストショット（背景とともに撮影する）であり、この場合、構図情報種別「ＢＳ００３」、ＡＦ座標（被写体の顔部分）「ｘ３、ｙ３」、該構図情報に対する再生パターン「Ｐ００１（ズーム）」が再生情報として画像ファイルのタグ情報に記録される。
【００４０】
図８（ａ）〜（ｄ）は、上記図７（ａ）に示すベストショットイメージで撮影した画像データを再生する際の再生パターンＰ００１の様子を示す模式図である。該再生パターンＰ００１は、前述した図３の再生パターンＰ００１と同じであるが、ＡＦ座標が異なるので、図４（ａ）〜（ｄ）に示す再生パターンとは異なる。この場合、図８（ａ）〜同図（ｄ）に示すように、撮影した元画像全体が入るように表示部２５に表示した状態から、徐々にＡＦ座標位置を中心として、横方向に流れるように、被写体の顔部分にズームインしていくように再生する。
【００４１】
次に、図９（ａ）は、ベストショットイメージの他の例を示す概念図であり、同図（ｂ）は、その構図情報に対する再生情報である。図９（ａ），（ｂ）に示す例は、２人の被写体の上半身をフレームの中央に入るようにして撮影するベストショットであり、この場合、構図情報種別「ＢＳ００４」、ＡＦ座標（２つ被写体の顔部分）「ｘ４、ｙ４／ｘ５、ｘ５」、該構図情報に対する再生パターン「Ｐ００３（スクロール＆ズーム）」が再生情報として画像ファイルのタグ情報に記録される。
【００４２】
図１０（ａ）〜（ｄ）は、上記図９（ａ）に示すベストショットイメージで撮影した画像データを再生する際の再生パターンＰ００３の様子を示す模式図である。該再生パターンＰ００３では、図１０（ａ）〜同図（ｄ）に示すように、撮影した元画像全体が入るように表示部２５に表示した状態から、まず、徐々にＡＦ座標（ｘ４、ｙ４）を中心とした被写体の顔部分にズームインし、その状態で、ＡＦ座標（ｘ５、ｙ５）を中心とした他方の被写体の顔部分に横スクロールしていった後、ＡＦ座標（ｘ４、ｙ４）とＡＦ座標（ｘ５、ｙ５）とが同時に入るように、すなわち２人の被写体の顔部分が入るように、ズームアウトしていくように再生する。
【００４３】
Ｂ．実施形態の動作
次に、上述した実施形態の動作について説明する。
Ｂ−１．撮影モード
図１１は、デジタルカメラの撮影時の動作を説明するためのフローチャートである。撮影モードが選択されると、まず、撮像モジュール（画像取得部１０、アナログ信号処理部１５）を起動し（ステップＳ１０）、撮像モジュールにより撮影されている映像をリアルタイムでスルー画像として表示部２５に表示する（ステップＳ１２）。次に、シャッターキーが押下されたか否かを判断し（ステップＳ１４）、シャッターキーが押下されない場合には、構図情報選択モードが選択されたか否かを判断する（ステップＳ１６）。そして、構図情報選択モードが選択されていなければ、ステップＳ１２へ戻り、スルー画像の表示を継続する。
【００４４】
一方、構図情報選択モードが選択されると、図示しない構図情報選択画面を表示部２５に表示する（ステップＳ１８）。構図情報選択画面には、前述した図３（ａ）、図５（ａ）、図７（ａ）、図９（ａ）に示すようなベストショットイメージとその説明（撮影条件）などが表示される。次に、いずれかの構図情報が選択されたか否かを判断する（ステップＳ２０）。ユーザは、構図情報選択画面からこれから撮影しようとする条件に合致した構図情報を選択する。そして、構図情報が選択されない場合には、ステップＳ１８へ戻り、構図情報選択画面の表示を継続する。
【００４５】
一方、いずれかの構図情報が選択されると、選択された構図情報を登録し（ステップＳ２２）、ステップＳ１２へ戻る。ユーザは、構図情報を登録すると、その構図情報のベストショットイメージに合わせて立ち位置などの構図を決めてシャッターを押下することになる。シャッターキーが押下されると、撮像モジュールにより取り込まれた画像データをイメージバッファ２６に格納する（ステップＳ２４）。
【００４６】
次に、登録されている構図情報のＡＦ座標を取得し（ステップＳ２６）、再生パターンを取得し（ステップＳ２８）、これらＡＦ座標、再生パターンをタグ情報として挿入し、Ｅｘｉｆ規格に合った画像ファイルを生成して画像メモリ３１に格納する（ステップＳ３０）。
【００４７】
Ｂ−２．再生モード
次に、図１２は、デジタルカメラの再生時の動作を説明するためのフローチャートである。再生モードが選択されると、まず、画像メモリ３１に格納されている画像ファイルを検索する（ステップＳ４０）。そして、見つかった画像ファイルのリストを一覧表示する（ステップＳ４２）。次に、一覧表示したリストの中からいずれかの画像ファイルが選択されたか否かを判断する（ステップＳ４４）。ユーザは、一覧表示されたリストの中から再生表示したい画像ファイルを選択する。そして、画像ファイルが選択されない場合には、ステップＳ４２に戻り、一覧表示を継続する。
一方、いずれかの画像ファイルが選択されると、画像ファイルのタグ情報からＡＦ座標、再生パターンを取り出し（ステップＳ４６）、これらＡＦ座標、再生パターンに従って、元画像データを再生表示する（ステップＳ４８）。
【００４８】
ここで、図１３（ａ）〜（ｄ）、および図１４（ａ）〜（ｈ）は、各々、表示部２５での再生例を示す模式図である。図１３（ａ）〜（ｄ）の例では、前述した図３（ａ）に示す構図情報により撮影した画像データを再生表示する様子を示している。この例では、まず、撮影した元画像全体が入るように表示部２５に表示し（図１３（ａ））、その状態から徐々にＡＦ座標位置ＰＰ１を中心として被写体の顔部分にズームしていく（図１３（ｂ）〜（ｄ））。
【００４９】
また、図１４（ａ）〜（ｈ）の例では、前述した図９（ａ）に示す構図情報により撮影した画像データを再生表示する様子を示している。この例では、まず、撮影した元画像全体が入るように表示部２５に表示し（図１４（ａ））、その状態から、徐々にＡＦ座標ＰＰ２を中心とした被写体の顔部分にズームし（図１４（ｂ）〜（ｃ））、次いで、ＡＦ座標ＰＰ３を中心とした他方の被写体の顔部分に横スクロールし（図１４（ｄ）、（ｅ））、その後、ＡＦ座標ＰＰ２とＡＦ座標ＰＰ３とが同時に入るように、すなわち２人の被写体の顔部分が入るように、ズームアウトしていく（図１４（ｇ）、（ｈ））。
【００５０】
上述した実施形態によれば、構図情報に従って、撮影時の注目点（ＡＦポイント）に自動的にズームさせることで、煩雑な操作なしに、ピントが合っているかを容易に確認することができる。また、実施形態によれば、画像ファイルに挿入した構図情報に従って、拡大／縮小、スクロールを組み合わせて画像を自動的に再生することで、効果的に画像を再生することができる。
【００５１】
なお、上述した実施形態においては、デジタルカメラに付いてのみ説明したが、これに限らず、通常のカメラ付き携帯電話や撮影機能付き、もしくは撮影機能を装着可能な携帯情報端末（ＰＤＡ）などに適用してもよい。
【図面の簡単な説明】
【００５２】
【図１】本実施形態によるデジタルカメラの構成を示すブロック図である。
【図２】本実施形態によるデジタルカメラで取り扱う画像ファイルフォーマットを示す概念図である。
【図３】ベストショットイメージの一例を示す概念図、およびその構図情報に対する再生情報である。
【図４】図３（ａ）に示すベストショットイメージで撮影した画像データを再生する際の様子を示す模式図である
【図５】ベストショットイメージの他の例を示す概念図、およびその構図情報に対する再生情報である。
【図６】図５（ａ）に示すベストショットイメージで撮影した画像データを再生する際の様子を示す模式図である。
【図７】ベストショットイメージの他の例を示す概念図、およびその構図情報に対する再生情報である。
【図８】図７（ａ）に示すベストショットイメージで撮影した画像データを再生する際の様子を示す模式図である。
【図９】ベストショットイメージの他の例を示す概念図、およびその構図情報に対する再生情報である。
【図１０】図９（ａ）に示すベストショットイメージで撮影した画像データを再生する際の様子を示す模式図である。
【図１１】デジタルカメラの撮影時の動作を説明するためのフローチャートである。
【図１２】デジタルカメラの再生時の動作を説明するためのフローチャートである。
【図１３】表示部２５での再生例を示す模式図である。
【図１４】表示部２５での再生例を示す模式図である。
【符号の説明】
【００５３】
１０  画像取得部（画像データ取得手段、撮影制御手段）
１１  レンズ
１２  シャッタ
１３  ＬＰＦ
１４  ドライバ
１５  アナログ信号処理部（画像データ取得手段）
１６  撮像センサ（画像データ取得手段）
１７  サンプリング／信号増幅処理部（画像データ取得手段）
１８  Ａ／Ｄコンバータ（画像データ取得手段）
２０  制御部（表示制御手段、再生制御情報生成手段、画像ファイル生成手段）
２２  プレビューエンジン
２３  Ｄ／Ａコンバータ
２４  ドライバ
２５  表示部（表示手段）
２６  イメージバッファ
２７  キー操作部（指示手段、選択手段）
２８  デジタル信号処理部
２９  画像圧縮／伸張処理部
３０  プログラムメモリ（記憶手段、構図情報記憶手段）
３１  画像メモリ（画像ファイル記憶手段）
３２  カードＩ／Ｆ
３３  外部記録媒体
３４  外部接続Ｉ／Ｆ
【図１】
2006013677.tif 000003
【図２】
2006013677.tif 000004
【図３】
2006013677.tif 000005
【図４】
2006013677.tif 000006
【図５】
2006013677.tif 000007
【図６】
2006013677.tif 000008
【図７】
2006013677.tif 000009
【図８】
2006013677.tif 000010
【図９】
2006013677.tif 000011
【図１０】
2006013677.tif 000012
【図１１】
2006013677.tif 000013
【図１２】
2006013677.tif 000014
【図１３】
2006013677.tif 000015
【図１４】
2006013677.tif 000016